(57)【要約】【課題】簡単な構成で、しかもハイパワーのレーザーでも使用可能なレンズアタッチメントおよびそれを用いた平行光発生装置を提供する。【解決手段】略円筒状体の基台部と、上記基台部の一方の端部側に配設された光ファイバーレセプタクルと、上記基台部の他方の端部側に配設されカメラレンズに接続可能なマウントとを有する。また、そうしたレンズアタッチメントと、上記レンズアタッチメントの上記光ファイバーレセプタクルに接続する単一モード光ファイバーと、上記単一モード光ファイバーに出射レーザー光を入射させるレーザー発振器と、上記レンズアタッチメントの上記マウントに接続するカメラレンズとを有するようにしたものである。【選択図】　　　　図１
2004069904.tif 000002
【特許請求の範囲】
【請求項１】
略円筒状体の基台部と、
前記基台部の一方の端部側に配設された光ファイバーレセプタクルと、
前記基台部の他方の端部側に配設されカメラレンズに接続可能なマウントと
を有するレンズアタッチメント。
【請求項２】
略円筒状体の基台部と、
前記基台部の一端の端面部に穿設された孔と内部が連通した光ファイバーレセプタクルと、
前記基台部の他端の開口部側において、前記基台部の内周側に内挿されたＣマウントと
を有するレンズアタッチメント。
【請求項３】
請求項１に記載のレンズアタッチメントと、
前記レンズアタッチメントの前記光ファイバーレセプタクルに接続する単一モード光ファイバーと、
前記単一モード光ファイバーに出射レーザー光を入射させるレーザー発振器と、
前記レンズアタッチメントの前記マウントに接続するカメラレンズと
を有する平行光発生装置。
【請求項４】
請求項２に記載のレンズアタッチメントと、
前記レンズアタッチメントの前記光ファイバーレセプタクルに接続する単一モード光ファイバーと、
前記単一モード光ファイバーに出射レーザー光を入射させるレーザー発振器と、
前記レンズアタッチメントの前記Ｃマウントに接続するカメラレンズと
を有する平行光発生装置。
【請求項５】
請求項２に記載のレンズアタッチメントと、
前記レンズアタッチメントの前記光ファイバーレセプタクルに接続する単一モード光ファイバーと、
前記単一モード光ファイバーに出射レーザー光を入射させるレーザー発振器と、
前記レンズアタッチメントの前記Ｃマウントに結合するＣマウントアダプターと、
前記Ｃマウントアダプターに合致するカメラレンズと
を有する平行光発生装置。
【発明の詳細な説明】
【０００１】
【発明の属する技術分野】
本発明は、レンズアタッチメントおよびそれを用いた平行光発生装置に関し、さらに詳細には、平行光を発生する際に用いて好適なレンズアタッチメントおよびそれを用いた平行光発生装置に関する。
【０００２】
【従来の技術】
従来より、顕微鏡用の対物レンズとピンホールとからなるスペイシャルフィルターならびにレーザーや光学系を備えて構成され、レーザーから出射された光がスペイシャルフィルターによって発散されてレンズに入射され、そのレンズにより平行光が得られるようにした平行光発生装置が知られている。
【０００３】
上記したような従来の平行光発生装置においては、装置全体の構成が複雑なので、製造コストがかかって高価になるとともに、装置自体の大型化や操作が難しいなどの問題点があった。
【０００４】
また、従来の平行光発生装置においては、スペイシャルフィルターを構成するピンホールが金属により形成されているので、レーザーから出射された光のパワーが大きいとピンホールが熱を帯びて変形してしまう恐れがあった。このため、従来の平行光発生装置は、ハイパワーのレーザーの場合には使用することができないという問題点があった。
【０００５】
【発明が解決しようとする課題】
本発明は、上記したような従来の技術の有する種々の問題点に鑑みてなされたものであり、その目的とするところは、簡単な構成で、しかもハイパワーのレーザーでも使用可能なレンズアタッチメントおよびそれを用いた平行光発生装置を提供しようとするものである。
【０００６】
【課題を解決するための手段】
上記目的を達成するために、本発明のうちの請求項１に記載の発明は、略円筒状体の基台部と、上記基台部の一方の端部側に配設された光ファイバーレセプタクルと、上記基台部の他方の端部側に配設されカメラレンズに接続可能なマウントとを有するようにしたものである。
【０００７】
従って、本発明のうちの請求項１に記載の発明によれば、レンズアタッチメントにより、例えば、ＩＳＯ規格製品などの単一モード光ファイバーとＩＳＯ規格製品などのカメラレンズとが組み付けられるので、スペイシャルフィルターを配設する必要がないために、低コストであり、カメラレンズには既に焦点調整機能が備わっているので、簡単な構成で平行光を得ることができ、しかも比較的ハイパワーのレーザーでも使用できる。
【０００８】
また、本発明のうちの請求項２に記載の発明は、略円筒状体の基台部と、上記基台部の一端の端面部に穿設された孔と内部が連通した光ファイバーレセプタクルと、上記基台部の他端の開口部側において、上記基台部の内周側に内挿されたＣマウントとを有するようにしたものである。
【０００９】
また、本発明のうちの請求項３に記載の発明は、請求項１に記載のレンズアタッチメントと、上記レンズアタッチメントの上記光ファイバーレセプタクルに接続する単一モード光ファイバーと、上記単一モード光ファイバーに出射レーザー光を入射させるレーザー発振器と、上記レンズアタッチメントの上記マウントに接続するカメラレンズとを有するようにしたものである。
【００１０】
また、本発明のうちの請求項４に記載の発明は、請求項２に記載のレンズアタッチメントと、上記レンズアタッチメントの上記光ファイバーレセプタクルに接続する単一モード光ファイバーと、上記単一モード光ファイバーに出射レーザー光を入射させるレーザー発振器と、上記レンズアタッチメントの上記Ｃマウントに接続するカメラレンズとを有するようにしたものである。
【００１１】
また、本発明のうちの請求項５に記載の発明は、請求項２に記載のレンズアタッチメントと、上記レンズアタッチメントの上記光ファイバーレセプタクルに接続する単一モード光ファイバーと、上記単一モード光ファイバーに出射レーザー光を入射させるレーザー発振器と、上記レンズアタッチメントの上記Ｃマウントに結合するＣマウントアダプターと、上記Ｃマウントアダプターに合致するカメラレンズとを有するようにしたものである。
【００１２】
【発明の実施の形態】
以下、添付の図面に基づいて、本発明によるレンズアタッチメントおよびそれを用いた平行光発生装置の実施の形態の一例を詳細に説明するものとする。
【００１３】
図１には、本発明による平行光発生装置の実施の形態の一例を示す説明図が示されており、図２には、図１に示す平行光発生装置の要部を分解して示した分解説明図が示されている。
【００１４】
この平行光発生装置１０は、レーザーダイオード１２ａを備えたレーザー発振器１２と、レーザー発振器１２から出射された出射レーザー光が入射する光ファイバー１４と、光ファイバー１４が接続されるレンズアタッチメント１６と、Ｃマウントアダプター２４と、カメラレンズ２６とを有して構成されている。
【００１５】
ここで、光ファイバー１４は、単一モード光ファイバー（Ｓｉｎｇｌｅ−ｍｏｄｅ　ｏｐｔｉｃａｌ　ｆｉｂｅｒ）である。そして、この光ファイバー１４の一端はレーザー発振器１２に接続されており、他端には光ファイバーコネクタ２２が配設されている。なお、この実施の形態においては、光ファイバーコネクタ２２は、ＦＣタイプの光ファイバーコネクタである。
【００１６】
そして、光ファイバー１４の一端が接続されているレーザー発振器１２は、単一モード光ファイバーに入射可能な出射レーザー光を出射するものである。この実施の形態においては、レーザー発振器１２として、発振波長が６８５ｎｍであり、出力が１０ｍＷのレーザー発振器を用いる。
【００１７】
なお、レーザー発振器１２と光ファイバー１４とは、光ファイバー１４の一端に配設されたＦＣタイプの光ファイバーコネクタと、当該ＦＣタイプの光ファイバーコネクタに対応する光ファイバーレセプタクルとを介して接続されている。
【００１８】
カメラレンズ２６は、この実施の形態においては、３５ｍｍ一眼レフカメラの交換レンズ（ｆ５０，Ｆ／１．４）を用いている。こうしたカメラレンズ２６は焦点調節機能を備えたものであり、例えば、ＩＳＯ規格製品などを使用することもできる。
【００１９】
そして、Ｃマウントアダプター２４は、カメラレンズ２６に合致するとともに後述するレンズアタッチメント１６のＣマウント１８にネジ結合して、カメラレンズ２６とレンズアタッチメント１６とを組み付けるものである。
【００２０】
図３（ａ）には、レンズアタッチメント１６を示す斜視図が示されており、図３（ｂ）には、図３（ａ）のＡ矢視図が示されている。また、図４（ａ）には、レンズアタッチメント１６の基台部１６ａを示す説明図が示されており、図４（ｂ）には、図４（ａ）のＢ−Ｂ線における断面図が示されている。なお、図４（ｂ）においては、レンズアタッチメント１６の中心軸Ｏ−Ｏを二点鎖線で示している。
【００２１】
レンズアタッチメント１６は、略円筒状体の基台部１６ａと、基台部１６ａの端面部１６ｂに配設された光ファイバーレセプタクル２０とを有して構成されている。
【００２２】
基台部１６ａは、例えば、金属により形成されている。そして、基台部１６ａの側面部１６ｃには平目のローレットが形成されており、側面部１６ｃの一端は略円形形状の開口部１６ｄで開口し、側面部１６ｃの他端には略円形形状の端面部１６ｂが位置している。
【００２３】
そして、基台部１６ａの端面部１６ｂの中心位置には丸孔１６ｅが穿設されており、丸孔１６ｅの外周には４つのネジ孔１６ｆが穿設されている。一方、基台部１６ａの開口部１６ｄ側においては、基台部１６ａの内周側１６ｇにリング状体のＣマウント１８が内挿されている。Ｃマウント１８は、ネジマウントであり、ＣＣＤカメラや写真用カメラなどの各種カメラのレンズのマウント部の規格として寸法などが規定されているものである。
【００２４】
なお、図５には、図４（ａ）（ｂ）に対応して、レンズアタッチメント１６の基台部１６ａの各種寸法の一例が示されている。
【００２５】
一方、基台部１６ａの端面部１６ｂに配設される光ファイバーレセプタクル２０は、例えば、金属により形成されており、略円柱状体の受容部２０ａと、受容部２０ａの外周側に延設された略矩形形状の板状の縁部２０ｂとを有して構成されている。なお、この実施の形態においては、光ファイバーレセプタクル２０の受容部２０ａは、ＦＣタイプの光ファイバーコネクタ２２に対応するものである。
【００２６】
また、光ファイバーレセプタクル２０の縁部２０ｂの４つの角部にはそれぞれ取り付け孔２０ｃが穿設されており、この取り付け孔２０ｃの位置に応じて基台部１６ａの端面部１６ｂの４つのネジ孔１６ｆが形成されている。なお、取り付け孔２０ｃならびにネジ孔１６ｆの内径は、ネジ３０の大きさに応じて寸法設定されている。
【００２７】
そして、光ファイバーレセプタクル２０は、取り付け孔２０ｃにネジ３０が挿入され、このネジ３０がネジ孔１６ｆにネジ結合することにより、基台部１６ａの端面部１６ｂに固定的に配設されている。この際、光ファイバーレセプタクル２０の受容部２０ａの内部は、基台部１６ａの丸孔１６ｅと連通する。
【００２８】
以上の構成において、本発明による平行光発生装置１０を用いて平行光を発生させるには、まず、レンズアタッチメント１６により、レーザー発振器１２、光ファイバー１４ならびにカメラレンズ２６を組み付ける。
【００２９】
より詳細には、レンズアタッチメント１６の光ファイバーレセプタクル２０の受容部２０ａに、レーザー発振器１２に接続された光ファイバー１４の光ファイバーコネクタ２２を取り付ける。また、レンズアタッチメント１６の基台部１６ａのＣマウント１８に、カメラレンズ２６に合致したＣマウントアダプター２４をネジ結合させる。
【００３０】
こうしてレンズアタッチメント１６を用いて組み付けられた平行光発生装置１０において、レーザー発振器１２のレーザーダイオード１２ａから出射された出射レーザー光は、光ファイバー１４に入射される。
【００３１】
光ファイバー１４に入射したレーザー光は、光ファイバーコネクタ２２から出射して、レンズアタッチメント１６の光ファイバーレセプタクル２０の受容部２０ａの内部を通る。そして、基台部１６ａの丸孔１６ｅを通り、レンズアタッチメント１６の中心軸Ｏ−Ｏ（図４（ｂ）参照）に沿って直進して開口部１６ｄを通過し、カメラレンズ２６から平行光（図１においては一点鎖線で示している。）となって出射される。
【００３２】
上記したように、本発明による平行光発生装置１０においては、レンズアタッチメント１６により、レーザー発振器１２に接続された単一モード光ファイバーである光ファイバー１４とカメラレンズ２６とを組み付けるようにしたため、スペイシャルフィルターを配設することなしに、波面の乱れが小さい平行光を得ることができる。
【００３３】
つまり、本発明による平行光発生装置１０は、装置全体の構成が簡単なので、安価であるとともに、装置自体を小型化することができ、しかも操作が容易である。
【００３４】
さらに、本発明による平行光発生装置１０によれば、スペイシャルフィルターを用いる必要がないので、ピンホールも配設されておらず、ハイパワーのモードのレーザーであっても使用することができる。
【００３５】
ここで、例えば、本発明による平行光発生装置１０は、図６に示すようにして回折格子の測定に使用することができる。平行光発生装置１０から出射された平行光（図６においては一点鎖線で示している。）を、測定対象物たる回折格子１００に照射し、カメラ１０２などにより各種測定が行うものである。
【００３６】
なお、上記した実施の形態は、以下の（１）乃至（４）に説明するように適宜に変形してもよい。
【００３７】
（１）上記した実施の形態においては、光ファイバーレセプタクル２０の受容部２０ａは、ＦＣタイプの光ファイバーコネクタ２２に対応するようにしたが、これに限られるものではないことは勿論であり、光ファイバーレセプタクルとしては単一モード光ファイバーに接続可能な各種タイプのものを用いることができる。このため、単一モード光ファイバーの光ファイバーコネクタの種類などに応じて光ファイバーレセプタクルを変更し、さらに、光ファイバーレセプタクルの基台部１６ａへの固定の方法を変更してもよい。
【００３８】
（２）上記した実施の形態においては、レンズアタッチメント１６のＣマウント１８に、Ｃマウントアダプター２４を介してカメラレンズ２６が接続されるようにしたが、これに限られるものではないことは勿論であり、使用するカメラレンズの種類に対応させて各種マウントをレンズアタッチメントに配設し、当該マウントとカメラレンズとを直接接続して、Ｃマウントアダプター２４を用いないようにしてもよい。
【００３９】
（３）上記した実施の形態においては、レンズアタッチメント１６を構成する基台部１６ａと光ファイバーレセプタクル２０とはいずれも金属により形成されるようにしたが、これに限られるものではないことは勿論であり、各種材料により形成してもよい。
【００４０】
（４）上記した実施の形態ならびに上記（１）乃至（３）に示す変形例は、適宜に組み合わせるようにしてもよい。
【００４１】
【発明の効果】
本発明は、以上説明したように構成されているので、簡単な構成で、しかもハイパワーのレーザーでも使用可能なレンズアタッチメントおよびそれを用いた平行光発生装置を実現することができるという優れた効果を奏する。
【図面の簡単な説明】
【図１】本発明による平行光発生装置の実施の形態の一例を示す説明図である。
【図２】図１に示す平行光発生装置の要部を分解して示した分解説明図である。
【図３】（ａ）は、レンズアタッチメントを示す斜視図であり、（ｂ）は、（ａ）のＡ矢視図である。
【図４】（ａ）には、レンズアタッチメントの基台部を示す説明図であり、（ｂ）は、（ａ）のＢ−Ｂ線における断面図である。
【図５】図４（ａ）（ｂ）に対応して、レンズアタッチメントの基台部の各種寸法の一例を示す説明図である。
【図６】本発明による平行光発生装置を用いて回折格子の測定を行う場合を示す説明図である。
【符号の説明】
１０　　　　　　平行光発生装置
１２　　　　　　レーザー発振器
１２ａ　　　　　レーザーダイオード
１４　　　　　　光ファイバー
１６　　　　　　レンズアタッチメント
１６ａ　　　　　基台部
１６ｂ　　　　　端面部
１６ｃ　　　　　側面部
１６ｄ　　　　　開口部
１６ｅ　　　　　丸孔
１６ｆ　　　　　ネジ孔
１６ｇ　　　　　内周側
１８　　　　　　Ｃマウント
２０　　　　　　光ファイバーレセプタクル
２０ａ　　　　　受容部
２０ｂ　　　　　縁部
２０ｃ　　　　　取り付け孔
２２　　　　　　光ファイバーコネクタ
２４　　　　　　Ｃマウントアダプター
２６　　　　　　カメラレンズ
３０　　　　　　ネジ
１００　　　　　　回折格子
１０２　　　　　　カメラ
【図１】
2004069904.tif 000003
【図２】
2004069904.tif 000004
【図３】
2004069904.tif 000005
【図４】
2004069904.tif 000006
【図５】
2004069904.tif 000007
【図６】
2004069904.tif 000008